(57)【特許請求の範囲】
【請求項１】
可変な記録パワーで記録情報を記録する記録手段と、
前記記録情報が記録されていない未記録部分に隣接して前記記録情報が記録されるように前記記録手段を制御する記録制御手段と、
前記記録制御手段の制御を受けて記録される前記記録情報のうち前記未記録部分に隣接して記録される前記記録情報を記録する際の前記記録パワーが、前記未記録部分に隣接して記録される前記記録情報以外の前記記録情報を記録する際の前記記録パワーよりも弱くなるように前記記録パワーを制御するパワー制御手段と
を備えることを特徴とする記録装置。
【請求項２】
前記記録制御手段は、前記記録パワーを較正するための較正情報が前記記録情報として記録される際に、前記未記録部分に隣接して前記較正情報が記録されるように前記記録手段を制御することを特徴とする請求の範囲第１項に記載の記録装置。
【請求項３】
前記記録制御手段は、前記記録情報が記録された記録済部分の終端部が前記未記録部分に隣接して前記記録情報が記録されるように前記記録手段を制御することを特徴とする請求の範囲第１項に記載の記録装置。
【請求項４】
前記記録制御手段は、前記記録情報が記録された記録済部分の始端部及び終端部の少なくとも一方が前記未記録部分に隣接して前記記録情報が記録されるように前記記録手段を制御し、
前記パワー制御手段は、少なくとも前記終端部に記録される前記記録情報を記録する際の前記記録パワーが、前記終端部に記録される前記記録情報以外の記録情報を記録する際の前記記録パワーよりも弱くなるように前記記録パワーを制御することを特徴とする請求の範囲第１項に記載の記録装置。
【請求項５】
前記パワー制御手段は、前記記録制御手段の制御を受けて記録される前記記録情報が、所定量ずつ段階的に又は所定割合ずつ連続的に減少する記録パワーで記録されるように前記記録パワーを制御することを特徴とする請求の範囲第１項に記載の記録装置。
【請求項６】
前記未記録部分に隣接して前記記録情報が記録された記録済部分に、上書き用であって且つマーク信号成分の存在する割合がスペース信号成分の存在する割合よりも小さい上書情報が前記記録情報として上書記録されるように前記記録手段を制御する上書制御手段を更に備えることを特徴とする請求の範囲第１項に記載の記録装置。
【請求項７】
記録情報を記録する記録手段と、
前記記録情報が記録されていない未記録部分に隣接して前記記録情報が記録される記録済部分に、上書き用であって且つマーク信号成分の存在する割合がスペース信号成分の存在する割合よりも小さい上書情報が前記記録情報として上書記録されるように前記記録手段を制御する上書制御手段と
を備えることを特徴とする記録装置。
【請求項８】
前記上書制御手段は、前記未記録部分に隣接し、且つ前記記録手段の記録パワーを較正するための較正情報が前記記録情報として記録された前記記録済部分に、前記上書情報が前記記録情報として上書記録されるように前記記録手段を制御することを特徴とする請求の範囲第７項に記載の記録装置。
【請求項９】
前記上書制御手段は、少なくとも終端部が前記未記録部分に隣接する前記記録済部分に、前記上書情報が前記記録情報として記録されるように前記記録手段を制御することを特徴とする請求の範囲第７項に記載の記録装置。
【請求項１０】
前記上書制御手段は、前記マーク信号成分の信号幅が前記スペース信号成分の信号幅よりも小さい前記上書情報が前記記録情報として記録されるように前記記録手段を制御することを特徴とする請求の範囲第７項に記載の記録装置。
【請求項１１】
前記記録手段は、可変な記録パワーで前記記録情報を記録し、
前記未記録部分に隣接して記録される前記記録情報のうち、前記未記録部分に隣接して記録される前記記録情報を記録する際の前記記録パワーが、前記未記録部分に隣接して記録される前記記録情報以外の前記記録情報を記録する際の前記記録パワーよりも弱くなるように前記記録パワーを制御するパワー制御手段を更に備えることを特徴とする請求の範囲第７項に記載の記録装置。
【請求項１２】
可変な記録パワーで記録情報を記録する記録手段を備える記録装置における記録方法であって、
前記記録情報が記録されていない未記録部分に隣接して前記記録情報が記録されるように前記記録手段を制御する記録制御工程と、
前記記録制御手段の制御を受けて記録される前記記録情報のうち、前記未記録部分に隣接して記録される前記記録情報を記録する際の前記記録パワーが、前記未記録部分に隣接して記録される前記記録情報以外の前記記録情報を記録する際の前記記録パワーよりも弱くなるように前記記録パワーを制御するパワー制御工程と
を備えることを特徴とする記録方法。
【請求項１３】
記録情報を記録する記録手段を備える記録装置における記録方法であって、
前記記録情報が記録されるように前記記録手段を制御する記録制御工程と、
前記記録情報が記録されていない未記録部分に隣接して前記記録情報が記録される記録済部分に、上書き用であって且つマーク信号成分の存在する割合がスペース信号成分の存在する割合よりも小さい上書情報が前記記録情報として上書記録されるように前記記録手段を制御する上書制御工程と
を備えることを特徴とする記録方法。
【請求項１４】
請求の範囲第１項に記載の記録装置に備えられたコンピュータを制御する記録制御用のコンピュータプログラムであって、該コンピュータを、前記記録制御手段及び前記パワー制御手段の少なくとも一方として機能させることを特徴とするコンピュータプログラム。
【請求項１５】
請求の範囲第７項に記載の記録装置に備えられたコンピュータを制御する記録制御用のコンピュータプログラムであって、該コンピュータを、前記上書制御手段として機能させることを特徴とするコンピュータプログラム。
【発明の詳細な説明】
【技術分野】
【０００１】
本発明は、例えばＤＶＤレコーダ等の記録装置及び方法、並びにコンピュータをこのような記録装置として機能させるコンピュータプログラムの技術分野に関する。
【背景技術】
【０００２】
映像や音声等のコンテンツデータやその他の各種データを手軽に記録することができるＤＶＤ等の記録媒体の普及が進んでいる。また、より多くのデータ量を有するコンテンツデータやその他の各種データを一枚の記録媒体に記録するために、二つの記録層を積層してなる二層型の記録媒体の開発も進んでおり、一部では既に製品化されている。【０００３】
このような記録媒体にコンテンツデータやその他の各種データを好適に記録するためには、これらのデータの記録を行うために照射されるレーザ光のパワーの較正を行う必要がある。パワーの較正は、ＰＣＡ（Power Calibration Area）やＩＤＴＡ（Inner Disc Testing Area）やＯＤＴＡ（Outer Disc Testing Area）等にＯＰＣパターンを記録することによって行なわれている。このパワーの較正に係る処理は、一般的には、ＯＰＣ（Optimum Power Control）と称される。【０００４】
他方、二層型の記録媒体においては、ファイナライズ処理の際に、レーザ光を照射する光ピックアップの暴走を防ぐためのミドルエリアが、外周側に配置されるＯＤＴＡの直前に設けられる。ミドルエリアは、光ピックアップの暴走を好適に防ぐべく、ある一定以上の大きさを有する必要がある。このため、予め定められたないしはファイナライズ時に定められたミドルエリアの開始位置から、ＯＤＴＡを含む広範囲のエリアに渡って、所定のデータがミドルエリア属性で記録される。つまり、ＯＤＴＡにおいては、レーザ光のパワーを較正する際に記録されたＯＰＣパターンに、所定のデータがミドルエリア属性で上書される。
【発明の開示】
【発明が解決しようとする課題】
【０００５】
他方で、ドライブの安定的な動作を維持するという観点からは、光ピックアップから照射されるレーザ光がＯＤＴＡにフォーカシングされた場合であっても、少なくともセクタＩＤを読み取ることができることが好ましい。このため、ＯＤＴＡにＯＰＣパターンを記録する際には、例えば１ＥＣＣブロック当たり例えば３セクタはＯＰＣパターンを記録することなく、未記録部分として残す対応策が考えられる。これにより、ＯＤＴＡに所定のデータをミドルエリア属性で上書きした後であっても、セクタＩＤだけは少なくとも読み取ることができるとも考えられる。【０００６】
しかしながら、実際にＯＤＴＡに所定のデータをミドルエリア属性で上書きすると、所定のデータが上書きされたＯＰＣパターンの再生信号の品質が予想以上に劣化し、敢えて未記録部分として残しておいたセクタのセクタＩＤを読み取ることが困難になり得るという技術的な問題点が生ずる。また、上述の対応策では、ＯＤＴＡに主眼をおいた説明を進めているが、未記録部分として残しておいたセクタに隣接する記録エリアに所定のデータを上書する際には、同様の技術的な問題点が生じ得る。即ち、該未記録部分として残しておいたセクタから本来読み取ろうとしている各種情報を好適に読み取ることが困難になり得るという技術的な問題点を生じ得る。【０００７】
本発明は、例えば上述した従来の問題点に鑑みなされたものであり、例えば未記録部分として残しておいたセクタに隣接する記録エリアに所定のデータを上書する場合であっても、その後のデータの読取（特に、未記録部分として残しておいたセクタに対して普通に記録したデータの読取）を好適に行なわせしめる記録装置及び方法、並びにコンピュータプログラムを提供することを課題とする。
【課題を解決するための手段】
【０００８】
（記録装置）
本発明の第１記録装置は上記課題を解決するために、可変な記録パワーで記録情報を記録する記録手段と、前記記録情報が記録されていない未記録部分に隣接して前記記録情報が記録されるように前記記録手段を制御する記録制御手段と、前記記録制御手段の制御を受けて記録される前記記録情報のうち、前記未記録部分に隣接して記録される前記記録情報を記録する際の前記記録パワーが、前記未記録部分に隣接して記録される前記記録情報以外の前記記録情報を記録する際の前記記録パワーよりも弱くなるように前記記録パワーを制御するパワー制御手段とを備える。【０００９】
本発明の第１記録装置によれば、記録手段の動作により、記録情報を記録媒体に記録することができる。記録手段は、必要に応じて例えばレーザ光等の記録パワーを変化させながら、記録情報を記録することができる。このとき、記録制御手段の動作により、必要に応じて、記録情報が記録されていない未記録部分に隣接して記録情報が記録されるように記録手段が制御される。即ち、記録情報が記録されている記録済部分と未記録部分とが隣接するように、記録情報が記録される。もちろん、記録媒体の一部の記録領域中において記録済部分と未記録部分とが隣接するように記録情報が記録されれば足りるものであり、記録媒体の全体においてこのように記録情報が記録される必要はない。【００１０】
第１記録装置では特に、記録制御手段の制御を受けて記録情報を記録する場合には（即ち、記録済部分と未記録部分とが隣接するように記録情報を記録する場合には）、パワー制御手段の動作により記録パワーが制御される。パワー制御手段は、一つの記録済部分として記録される記録情報のうち未記録部分に隣接して記録される記録情報を記録する際の記録パワーが、未記録部分に隣接して記録される記録情報以外の記録情報（即ち、未記録部分に隣接しない記録情報）を記録する際の記録パワーよりも弱くなるように記録手段や記録パワーを制御する。より具体的には、未記録部分に隣接して記録される所定単位の記録情報を記録する際の記録パワーが、該所定単位の記録情報以外の記録情報を記録する際の記録パワーよりも弱くなるように記録パワーを制御する。尚、ここでいう「記録パワーの制御」とは、記録パワーの値を指定することで直接的に行ってもよいし、或いは後述するように記録される記録情報のパターン等の他のパラメータを指定することで間接的に行ってもよい。要は、結果として記録情報が記録される際の記録手段の記録パワーを変化させることができる動作であれば、ここでいう「記録パワーの制御」に含まれる趣旨である。【００１１】
このように、未記録部分に隣接して記録される記録情報を記録する際の記録パワーが、未記録部分に隣接して記録される記録情報以外の記録情報を記録する際の記録パワーよりも弱くなるように記録パワーを制御することで、以下に示す利益を享受することができる。例えば記録媒体のファイナライズ処理の際には、未記録部分に隣接する記録済部分に所定の上書情報を上書きし、未記録部分に例えばダミー情報等を記録することがある。この場合、上書情報と記録済部分に記録されている記録情報とが干渉することに起因して、未記録部分に対して普通に記録したデータ（例えば、記録したセクタＩＤ等の制御データ等）を読み取ることができなくなる可能性がある。これは、後の実施例において図面を用いて詳細に説明するように、記録情報を記録する際の記録パワーが、記録済部分の終端部（即ち、未記録部分に隣接する記録済部分の端部）において強い状態にあるためである。このため、ダミー情報が記録された未記録部分を再生することで得られる再生信号は、上書情報が上書きされた記録済部分を再生することで得られる再生信号に影響を受けて、センター電位と比較して相対的に高いレベルにある。その結果として未記録部分にダミー情報を記録した部分を好適に再生することができない。しかるに、第１記録装置では、相対的に弱い記録パワーで、記録済部分の終端部に記録情報が記録される。従って、上述した不都合を好適に回避することができる。即ち、未記録状態として残しておいた記録エリアに隣接する記録エリアに所定の上書情報を上書きする場合であっても、その後のデータの読取（特に、未記録部分として残しておいた記録エリアに対して普通に記録したデータの読取）を好適に行うことができる。【００１２】
本発明の第１記録装置の一の態様は、前記記録制御手段は、前記記録パワーを較正するための較正情報が前記記録情報として記録される際に、前記未記録部分に隣接して前記較正情報が記録されるように前記記録手段を制御する。【００１３】
この態様によれば、未記録部分を設けながら較正情報を記録し、且つファイナライズ処理の際に上書情報を上書きしたとしても、再生信号はそれ程悪化することはなく、未記録部分として残しておいた記録エリアに対して普通に記録したデータを好適に読み取ることができる。【００１４】
本発明の第１記録装置の他の態様は、前記記録制御手段は、前記記録情報が記録された記録済部分の終端部が前記未記録部分に隣接して前記記録情報が記録されるように前記記録手段を制御する。【００１５】
この態様によれば、記録済部分の終端部に隣接する未記録部分に所定の上書情報が上書きされたとしても、再生信号はそれ程悪化することはなく、未記録部分として残しておいた記録エリアに記録したデータを好適に読み取ることができる。【００１６】
本発明の第１記録装置の他の態様は、前記記録制御手段は、前記記録情報が記録された記録済部分の始端部及び終端部の少なくとも一方が前記未記録部分に隣接して前記記録情報が記録されるように前記記録手段を制御し、前記パワー制御手段は、少なくとも前記終端部に記録される前記記録情報を記録する際の前記記録パワーが、前記終端部に記録される前記記録情報以外の記録情報を記録する際の前記記録パワーよりも弱くなるように前記記録パワーを制御する。【００１７】
この態様によれば、記録済部分の終端部に隣接する未記録部分に所定の上書情報が上書きされたとしても、再生信号はそれ程悪化することはなく、未記録部分として残しておいた記録エリアに記録したデータを好適に読み取ることができる。【００１８】
本発明の第１記録装置の他の態様は、前記パワー制御手段は、前記記録制御手段の制御を受けて記録される前記記録情報が、所定量ずつ段階的に又は所定割合ずつ連続的に減少する記録パワーで記録されるように前記記録パワーを制御する。【００１９】
この態様によれば、記録パワーが単調減少するように変化させれば足りるため、複雑なパワー制御を必要とせず、比較的容易に上述した各種利益を享受することができる。【００２０】
本発明の第１記録装置の他の態様は、前記未記録部分に隣接して前記記録情報が記録された記録済部分に、上書き用であって且つマーク信号成分の存在する割合がスペース信号成分の存在する割合よりも小さい上書情報が前記記録情報として上書記録されるように前記記録手段を制御する上書制御手段を更に備える。【００２１】
この態様によれば、後述する第２記録装置の特徴的構成を組み合わせた記録装置を実現することができる。従って、未記録部分として残しておいた記録エリアに隣接する記録エリアに所定の上書情報を上書きする場合であっても、その後のデータの読取（特に、未記録部分として残しておいた記録エリアに記録したデータの読取）をより一層好適に行うことができる。【００２２】
尚、後述する本発明の第２記録装置における各種態様に対応して、この態様は更に各種態様として構成することが可能である。【００２３】
本発明の第２記録装置は上記課題を解決するために、記録情報を記録する記録手段と、前記記録情報が記録されていない未記録部分に隣接して前記記録情報が記録される記録済部分に、上書き用であって且つマーク信号成分の存在する割合がスペース信号成分の存在する割合よりも小さい上書情報が前記記録情報として上書記録されるように前記記録手段を制御する上書制御手段とを備える。【００２４】
本発明の第２記録装置によれば、記録手段の動作により、記録情報を記録媒体に記録することができる。【００２５】
第２記録装置では特に、上書制御手段の動作により、未記録部分に隣接する記録済部分に、上書き用であって且つマーク信号成分の存在する割合（特に、時間軸を基準とした、存在する割合）がスペース信号成分の存在する割合よりも小さい上書情報が記録情報として上書記録される。より具体的には、例えば後述するように、相対的に小さい信号幅を有するマーク信号成分及び相対的に大きい信号幅を有するスペース信号成分により規定される上書情報が上書きされる。この上書情報の上書きは、例えばファイナライズ処理の際に行なわれる。また、ファイナライズ処理の際には、未記録部分においても、例えばダミー情報等が記録される。【００２６】
マーク信号成分の存在する割合が相対的に小さく、他方スペース信号成分の存在する割合が相対的に大きければ、上書情報は、記録媒体上で相対的に明るい記録ピットを構成する。ここで、上書情報が上書された記録済部分を再生すると、記録情報及び上書情報の双方が干渉することで、相対的に暗い再生信号が得られやすい。即ち、センター電位と比較して相対的に高いレベルにある再生信号が得られやすい。この相対的に高いレベルにある再生信号の影響を受けて、ダミー情報を記録した後の未記録部分の再生信号も、センター電位と比較して相対的に高いレベルになる。その結果として、未記録部分に記録したダミー情報のデータを読み取ることができなくなる可能性がある。しかるに、第２記録装置では、相対的に明るい再生信号が得られるような上書情報を記録済部分に上書きする。従って、上書情報が上書きされた記録済部分やダミー情報が記録された未記録部分を再生することによって、センター電位と比較して相対的に高いレベルにある再生信号ではなく、概ねセンター電位付近のレベルにある再生信号が得られやすい。従って、未記録状態として残しておいた記録エリアに隣接する記録エリアに所定の上書情報を上書きする場合であっても、その後のデータの読取（特に、未記録部分として残しておいた記録エリアに記録したデータの読取）を好適に行うことができる。【００２７】
本発明の第２記録装置の一の態様は、前記上書制御手段は、前記未記録部分に隣接し、且つ前記記録手段の記録パワーを較正するための較正情報が前記記録情報として記録された前記記録済部分に、前記上書情報が前記記録情報として上書記録されるように前記記録手段を制御する。【００２８】
この態様によれば、未記録部分を設けながら較正情報を記録し、且つファイナライズ処理の際に上書情報を上書きしたとしても、再生信号はそれ程悪化することはなく、未記録部分として残しておいた記録エリアに記録したデータを好適に読み取ることができる。【００２９】
本発明の第２記録装置の他の態様は、前記上書制御手段は、少なくとも終端部が前記未記録部分に隣接する前記記録済部分に、前記上書情報が前記記録情報として記録されるように前記記録手段を制御する。【００３０】
この態様によれば、記録済部分の終端部に隣接する未記録部分に上書情報が上書きされたとしても、再生信号はそれ程悪化することはなく、未記録部分として残しておいた記録エリアに記録したデータを好適に読み取ることができる。【００３１】
本発明の第２記録装置の他の態様は、前記上書制御手段は、前記マーク信号の信号幅が前記スペース信号の信号幅よりも小さい前記上書情報が前記記録情報として記録されるように前記記録手段を制御する。【００３２】
この態様によれば、相対的に明るい再生信号が得られるような上書情報を記録済部分に比較的容易に上書きすることができる。従って、未記録状態として残しておいた記録エリアに隣接する記録エリアに所定の上書情報を上書する場合であっても、その後のデータの読取（特に、未記録部分として残しておいた記録エリアに記録したデータの読取）を好適に行うことができる。【００３３】
本発明の第２記録装置の他の態様は、前記記録手段は、可変な記録パワーで前記記録情報を前記記録媒体に記録し、前記未記録部分に隣接して記録される前記記録情報のうち、前記未記録部分に隣接して記録される前記記録情報を記録する際の前記記録パワーが、前記未記録部分に隣接して記録される前記記録情報以外の前記記録情報を記録する際の前記記録パワーよりも弱くなるように前記記録パワーを制御するパワー制御手段を更に備える。【００３４】
この態様によれば、上述した第１記録装置の特徴的構成を組み合わせた記録装置を実現することができる。従って、未記録状態として残しておいた記録エリアに隣接する記録エリアに所定の上書情報を上書きする場合であっても、その後のデータの読取（特に、未記録部分として残しておいた記録エリアに記録したデータの読取）をより一層好適に行うことができる。【００３５】
尚、上述した本発明の第１記録装置における各種態様に対応して、この態様は更に他の各種態様として構成することが可能である。【００３６】
（記録方法）
本発明の第１記録方法は上記課題を解決するために、可変な記録パワーで記録情報を記録する記録手段を備える記録装置における記録方法であって、前記記録情報が記録されていない未記録部分に隣接して前記記録情報が記録されるように前記記録手段を制御する記録制御工程と、前記記録制御手段の制御を受けて記録される前記記録情報のうち、前記未記録部分に隣接して記録される前記記録情報を記録する際の前記記録パワーが、前記未記録部分に隣接して記録される前記記録情報以外の前記記録情報を記録する際の前記記録パワーよりも弱くなるように前記記録パワーを制御するパワー制御工程とを備える。【００３７】
本発明の第１記録方法によれば、上述した本発明の第１記録装置が有する各種利益と同様の利益を享受することができる。【００３８】
尚、上述した本発明の第１記録装置における各種態様に対応して、本発明の第１記録方法も各種態様を採ることが可能である。【００３９】
本発明の第２記録方法は上記課題を解決するために、記録情報を記録する記録手段を備える記録装置における記録方法であって、前記記録情報が記録されるように前記記録手段を制御する記録制御工程と、前記記録情報が記録されていない未記録部分に隣接して前記記録情報が記録される記録済部分に、上書き用であって且つマーク信号の存在する割合がスペース信号の存在する割合よりも小さい上書情報が前記記録情報として上書記録されるように前記記録手段を制御する上書制御工程とを備える。【００４０】
本発明の第２記録方法によれば、上述した本発明の第２記録装置が有する各種利益と同様の利益を享受することができる。【００４１】
尚、上述した本発明の第２記録装置における各種態様に対応して、本発明の第２記録方法も各種態様を採ることが可能である。【００４２】
（コンピュータプログラム）
本発明の第１コンピュータプログラムは上記課題を解決するために、上述した本発明の第１記録装置（但し、その各種態様を含む）に備えられたコンピュータを制御する記録制御用のコンピュータプログラムであって、該コンピュータを、前記記録装置の少なくとも一部（具体的には、例えば記録制御手段及びパワー制御手段の少なくとも一方）として機能させる。また、本発明の第２コンピュータプログラムは上記課題を解決するために、上述した本発明の第２記録装置態（但し、その各種態様を含む）に備えられたコンピュータを制御する記録制御用のコンピュータプログラムであって、該コンピュータを、前記記録装置の少なくとも一部（具体的には、例えば上書制御手段）として機能させる。【００４３】
本発明の各コンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の第１又は第２記録装置を比較的簡単に実現できる。【００４４】
尚、上述した本発明の第１又は第２記録装置における各種態様に対応して、本発明の第１又は第２コンピュータプログラム態も各種態様を採ることが可能である。【００４５】
コンピュータ読取可能な媒体内の第１コンピュータプログラム製品は上記課題を解決するために、上述した本発明の第１記録装置（但し、その各種形態も含む）に備えられたコンピュータにより実行可能なプログラム命令を明白に具現化し、該コンピュータを、前記記録装置の少なくとも一部（具体的には、例えば記録制御手段及びパワー制御手段の少なくとも一方）として機能させる。コンピュータ読取可能な媒体内の第２コンピュータプログラム製品は上記課題を解決するために、上述した本発明の第２記録装置（但し、その各種形態も含む）に備えられたコンピュータにより実行可能なプログラム命令を明白に具現化し、該コンピュータを、前記記録装置の少なくとも一部（具体的には、例えば上書制御手段）として機能させる。【００４６】
本発明の各コンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の第１又は第２記録装置を比較的容易に実施可能となる。更に具体的には、当該コンピュータプログラム製品は、上述した本発明の第１又は第２記録装置として機能させるコンピュータ読取可能なコード（或いはコンピュータ読取可能な命令）から構成されてよい。【００４７】
本発明のこのような作用及び他の利得は次に説明する実施例から更に明らかにされる。【００４８】
以上説明したように、本発明の第１記録装置又は方法は、記録手段、記録制御手段及びパワー制御手段、又は記録制御工程及びパワー制御工程を備える。また、本発明の第２記録装置又は方法は、記録手段及び上書制御手段、又は記録制御工程及び上書き制御工程を備える。従って、未記録部分として残しておいたセクタに隣接する記録エリアに所定のデータを上書する場合であっても、その後のデータの読取（特に、未記録部分として残しておいたセクタに記録したデータの読取）を好適に行うことができる。
【図面の簡単な説明】
【００４９】
【図１】本実施例に係る光ディスクの基本構造を示した概略平面図である。
【図２】本実施例に係る光ディスクの概略断面図と、これに対応付けられた、その半径方向における記録領域構造の図式的概念図である。
【図３】本実施例に係る記録再生装置の基本的な構成を概念的に示すブロック図である。
【図４】本実施例に係る記録再生装置の第１動作例の流れを概念的に示すフローチャートである。
【図５】ＯＰＣパターンの態様を概念的に示す模式図である。
【図６】ＯＰＣパターンが実際に記録される態様を概念的に示すデータ構造図である。
【図７】ファイナライズ処理の際の光ディスクへのデータの記録の一の態様を概念的に示すデータ構造図である。
【図８】ファイナライズ処理の際の光ディスクへのデータの記録の他の態様を概念的に示すデータ構造図である。
【図９】第１動作例において記録されたＯＰＣパターン、上書データが上書きされたＯＰＣパターン、及びダミーデータが記録された未記録部分の夫々の再生信号の信号レベル、並びに第１比較動作例において記録されたＯＰＣパターン、上書データが上書きされたＯＰＣパターン、及びダミーデータが記録された未記録部分の夫々の再生信号の信号レベルを概念的に示す一のグラフである。
【図１０】第１比較動作例において記録されたＯＰＣパターン、上書データが上書きされたＯＰＣパターン、及びダミーデータが記録された未記録部分の夫々の再生信号をデジタルオシロスコープにて観察したときの波形図である。
【図１１】本実施例に係る記録再生装置の第２動作例の流れを概念的に示すフローチャートである。
【図１２】第２動作例において設定される上書きデータの一の具体例を概念的に示す信号波形図である。
【図１３】第２動作例において記録されたＯＰＣパターン、上書データが上書きされたＯＰＣパターン、及びダミーデータが記録された未記録部分の夫々の再生信号の信号レベル、並びに第２比較動作例において記録されたＯＰＣパターン、上書データが上書きされたＯＰＣパターン、及びダミーデータが記録された未記録部分の夫々の再生信号の信号レベルを概念的に示すグラフである。
【符号の説明】
【００５０】
１００、  光ディスク
１０３ａ、１１３ａ  ＩＤＴＡ
１０３ｂ、１１３ｂ  ＯＤＴＡ
１０３ｃ、１１３ｃ  フレキシブルＯＤＴＡ
１０９、１１９  固定ミドルエリア
１１０、１２０  シフテッドミドルエリア
２００  記録再生装置
３５２  光ピックアップ
３５３  信号記録再生手段
３５４、３５９  ＣＰＵ
３５５、３６０  メモリ
３６１  ＯＰＣ信号生成手段
３６２  上書信号生成手段
【発明を実施するための最良の形態】
【００５１】
以下、本発明を実施するための最良の形態について実施例毎に順に図面に基づいて説明する。【００５２】
（記録媒体の実施例）
まず、図１及び図２を参照して、本発明の記録装置に係る実施例によりデータが記録される記録媒体としての光ディスクの基本構造について説明を進める。ここに、図１は、本実施例に係る光ディスク１００の基本構造を示した概略平面図であり、図２は、該光ディスク１００の概略断面図と、これに対応付けられた、その半径方向における記録領域構造の図式的概念図である。【００５３】
図１に示されるように、光ディスク１００は、例えば、ＤＶＤと同じく直径１２ｃｍ程度のディスク本体上の記録面に、センターホール１０１を中心として、リードインエリア（Lead-in Area）１０２又はリードアウトエリア（Lead-out Area）１１８、データエリア１０５及び１１５、並びに固定ミドルエリア（fixed Middle Area）１０９及び１１９が設けられている。そして、光ディスク１００は、透明基板１１０上に記録層等が積層されている。そして、この記録層の各記録領域には、例えば、センターホール１０１を中心にスパイラル状或いは同心円状に、例えば、グルーブトラック及びランドトラック等のトラックが交互に設けられている。また、このトラック上には、データがＥＣＣブロックという単位で分割されて記録される。ＥＣＣブロックは、記録情報がエラー訂正可能なプリフォーマットアドレスによるデータ管理単位である。【００５４】
尚、本発明は、このような三つのエリアを有する光ディスクには特に限定されない。例えば、リードインエリア１０２、リードアウトエリア１１８又は固定ミドルエリア１０９（１１９）が存在せずとも、以下に説明するデータ構造等の構築は可能である。また、後述するように、リードインエリア１０２、リードアウトエリア１１８又は固定ミドルエリア１０９（１１９）は更に細分化された構成であってもよい。【００５５】
特に、本実施例に係る光ディスク１００は、図２に示されるように、例えば、透明基板１１０に、Ｌ０層及びＬ１層が積層された構造をしている。このような二層型の光ディスク１００の記録再生時には、図２中、下側から上側に向かって照射されるレーザ光ＬＢの集光位置をいずれの記録層に合わせるかに応じて、Ｌ０層におけるデータの記録再生が行なわれるか又はＬ１層におけるデータの記録再生が行われる。特に、Ｌ０層においては内周側から外周側に向かってデータが記録され、他方Ｌ１層においては外周側から内周側に向かってデータが記録される。即ち、本実施例に係る光ディスク１００は、オポジットトラックパス方式の光ディスクに相当する。但し、パラレルトラックパス方式の光ディスクであっても、以下に説明する構成を採用することで、以下に述べる各種利益を享受することができる。【００５６】
また、本実施例に係る光ディスク１００は、リードインエリア１０２及びリードアウトエリア１１８の更に内周側に、ＩＤＴＡ（Inner Disc Testing Area）１０３ａ（１１３ａ）、ＲＭＡ（Recording Management Area：記録管理エリア）１０４（１１４）及びＮＢＣＡ（Narrow Burst Cutting Area）１０６を備えており、また固定ミドルエリア１０９（１１９）の更に外周側に、ＯＤＴＡ（Outer Disc Testing Area）１０３ｂ（１１３ｂ）を備えている。【００５７】
ＩＤＴＡ１０３ａ（１１３ａ）及びＯＤＴＡ１０３ｂ（１１３ｂ）は、光ディスク１００へデータを記録する際のレーザ光ＬＢのレーザパワーを調整（較正）するＯＰＣ（Optimum Power Control）処理を実行するための記録エリアである。レーザパワーを段階的に変化させながらＩＤＴＡ１０３ａ（１１３ａ）ないしはＯＤＴＡ１０３ｂ（１１３ｂ）にＯＰＣパターンが記録され、且つ記録されたＯＰＣパターンの再生品質（例えばアシンメトリ等）が測定されることで、データを記録する際の最適なレーザパワーが算出される。特に、光ディスク１００の相対的に内周側の記録エリアにデータを記録する際の最適なレーザパワーは、ＩＤＴＡ１０３ａ（１１３ａ）にＯＰＣパターンを記録することで算出されることが好ましい。また、光ディスク１００の相対的に外周側の記録エリアにデータを記録する際の最適なレーザパワーは、ＯＤＴＡ１０３ｂ（１１３ｂ）にＯＰＣパターンを記録することで算出されることが好ましい。【００５８】
そして、他の記録層の影響を受けることなく好適にＯＰＣ処理を行うために、Ｌ１層のＩＤＴＡ１１３ａないしはＯＤＴＡ１１３ｂを用いてＯＰＣ処理を実行する際には、データが未記録のＬ０層を介してレーザ光ＬＢが照射されることでＯＰＣパターンが記録される。もちろん、Ｌ０層のＩＤＴＡ１０３ａないしはＯＤＴＡ１０３ｂにおいても同様である。このため、Ｌ０層のＩＤＴＡ１０３ａとＬ１層のＩＤＴＡ１１３ａとは、レーザ光ＬＢを照射する側から見て、重複しない位置に配置されることが好ましい。同様に、Ｌ０層のＯＤＴＡ１０３ｂとＬ１層のＯＤＴＡ１１３ｂとは、レーザ光ＬＢを照射する側から見て、重複しない位置に配置されることが好ましい。【００５９】
但し、光ディスク１００の特にデータエリア１０５（１１５）等の通常のデータを記録する記録エリアにおいては、原則として、Ｌ０層のデータエリア１０５にデータを記録した後にＬ１層のデータエリア１１５にデータが記録される。即ち、データが記録されたＬ０層のデータエリア１０５を介してレーザ光ＬＢを照射することで、Ｌ１層のデータエリア１１５にデータが記録される。他の記録エリアに関しても原則同様である。【００６０】
ＲＭＡ１０４（１１４）は、光ディスク１００へのデータの記録を管理するための各種管理情報を記録するための記録エリアである。具体的には、例えば光ディスク１００に記録されたデータの配置ないしは記録状態等を示す管理情報等が記録される。【００６１】
ＮＢＣＡ１０６は、例えば光ディスク１００の製造番号等を含む、光ディスク１００を識別するための各種識別データが記録されている。特に、この各種識別データは、レーザ光より光ディスク１００の記録面上に形成されたバーコード状のカッティングパターンにより記録されている。【００６２】
尚、以下の実施例では、図２に示す２層片面の光ディスク１００を用いて説明を進めるが、光ディスクとしてはこれに限定されることはない。即ち、デュアルレイヤ型の光ディスクに限定されるものではなく、２層両面、即ちデュアルレイヤーダブルサイド型の光ディスクであってもよい。更に、上述の如く２層の記録層を有する光ディスクに限られることなく、３層以上の多層型の光ディスクであってもよい。また、単一の記録層を有するシングルレイヤ型の光ディスクであってもよい。【００６３】
（記録再生装置の実施例）
次に図３から図１３を参照して、本発明の記録装置に係る実施例としての記録再生装置２００の構成及び動作について説明する。【００６４】
（１）基本構成
先ず、図３を参照して、本実施例に係る記録再生装置２００の基本的構成について説明する。ここに、図３は、本実施例に係る記録再生装置２００の基本的な構成を概念的に示すブロック図である。尚、記録再生装置２００は、光ディスク１００にデータを記録する機能と、光ディスク１００に記録されたデータを再生する機能とを備える。【００６５】
図３に示すように、記録再生装置２００は、実際に光ディスク１００がローディングされ且つデータの記録やデータの再生が行なわれるディスクドライブ３００と、該ディスクドライブ３００に対するデータの記録及び再生を制御するパーソナルコンピュータ等のホストコンピュータ４００とを備えている。【００６６】
ディスクドライブ３００は、光ディスク１００、スピンドルモータ３５１、光ピックアップ３５２、信号記録再生手段３５３、ＣＰＵ（ドライブ制御手段）３５４、メモリ３５５、ＯＰＣ信号生成手段３６１、上書信号生成手段３６２、データ入出力制御手段３０６、及びバス３５７を備えて構成されている。また、ホストコンピュータ４００は、ＣＰＵ３５９、メモリ３６０、操作／表示制御手段３０７、操作ボタン３１０、表示パネル３１１、及びデータ入出力制御手段３０８を備えて構成される。【００６７】
スピンドルモータ３５１は光ディスク１００を回転及び停止させるもので、光ディスク１００へのアクセス時に動作する。より詳細には、スピンドルモータ３５１は、図示しないサーボユニット等によりスピンドルサーボを受けつつ所定速度で光ディスク１００を回転及び停止させるように構成されている。【００６８】
光ピックアップ３５２は、本発明における「記録手段」の一具体例を構成しており、光ディスク１００への記録再生を行うために、例えば半導体レーザ装置とレンズ等から構成される。より詳細には、光ピックアップ３５２は、光ディスク１００に対してレーザービーム等の光ビームを、再生時には読み取り光として第１のパワーで照射し、記録時には書き込み光として第２のパワーで且つ変調させながら照射する。【００６９】
信号記録再生手段３５３は、スピンドルモータ３５１と光ピックアップ３５２を制御することで光ディスク１００に対して記録再生を行う。より具体的には、信号記録再生手段３５３は、例えば、レーザダイオードドライバ（ＬＤドライバ）及びヘッドアンプ等によって構成されている。レーザダイオードドライバは、例えば駆動パルスを生成し、光ピックアップ３５２内に設けられた図示しない半導体レーザを駆動する。ヘッドアンプは、光ピックアップ３５２の出力信号、即ち、光ビームの反射光を増幅し、該増幅した信号を出力する。より詳細には、信号記録再生手段３５３は、ＯＰＣ処理時には、ＣＰＵ３５４の制御下で、図示しないタイミング生成器等と共に、ＯＰＣパターンの記録及び再生処理により最適なレーザパワーの決定が行えるように、光ピックアップ３５２内に設けられた図示しない半導体レーザを駆動する。【００７０】
メモリ３５５は、記録再生データのバッファ領域や、信号記録再生手段３５３で使用出来るデータに変換する時の中間バッファとして使用される領域などディスクドライブ３００におけるデータ処理全般及びＯＰＣ処理において使用される。また、メモリ３５５はこれらレコーダ機器としての動作を行うためのプログラム、即ちファームウェアが格納されるＲＯＭ領域と、記録再生データの一時格納用バッファや、ファームウェアプログラム等の動作に必要な変数が格納されるＲＡＭ領域などから構成される。【００７１】
ＣＰＵ（ドライブ制御手段）３５４は、信号記録再生手段３５３及びメモリ３５５と、バス３５７を介して接続され、各種制御手段に指示を行うことで、ディスクドライブ３００全体の制御を行う。通常、ＣＰＵ３５４が動作するためのソフトウェア又はファームウェアは、メモリ３５５に格納されている。【００７２】
ＯＰＣ信号生成手段３６１は、本発明の「パワー制御手段」の一具体例を構成しており、ＯＰＣ処理の際にＩＤＴＡ１０３ａ（１１３ａ）ないしはＯＤＴＡ１０３ｂ（１１３ｂ）に記録されるＯＰＣパターンを生成する。信号記録再生手段３５３は、ＯＰＣ信号生成手段３６１により生成されたＯＰＣパターンに基づく駆動パルスを生成し、光ピックアップ３５２内に設けられた図示しない半導体レーザを駆動する。【００７３】
上書信号生成手段３６２は、本発明の「上書制御手段」の一具体例を構成しており、ファイナライズ処理の際に、固定ミドルエリア１０９（１１９）等を含む記録エリアに記録される上書データを生成する。【００７４】
データ入出力制御手段３０６は、ディスクドライブ３００に対する外部からのデータ入出力を制御し、メモリ３５５上のデータバッファへの格納及び取り出しを行う。ディスクドライブ３００とＳＣＳＩや、ＡＴＡＰＩなどのインタフェースを介して接続されている外部のホストコンピュータ４００から発行されるドライブ制御命令は、データ入出力制御手段３０６を介してＣＰＵ３５４に伝達される。また、記録再生データも同様にデータ入出力制御手段３０６を介して、ホストコンピュータ４００とやり取りされる。【００７５】
操作／表示制御手段３０７はホストコンピュータ４００に対する動作指示受付と表示を行うもので、例えば記録又は再生といった操作ボタン３１０による指示をＣＰＵ３５９に伝える。ＣＰＵ３５９は、操作／表示制御手段３０７からの指示情報を元に、データ入出力手段３０８を介して、ディスクドライブ３００に対して制御命令（コマンド）を送信し、ディスクドライブ３００全体を制御する。同様に、ＣＰＵ３５９は、ディスクドライブ３００に対して、動作状態をホストに送信するように要求するコマンドを送信することができる。これにより、記録中や再生中といったディスクドライブ３００の動作状態が把握できるためＣＰＵ３５９は、操作／表示制御手段３０７を介して蛍光管やＬＣＤなどの表示パネル３１１にディスクドライブ３００の動作状態を出力することができる。【００７６】
メモリ３６０は、ホストコンピュータ４００が使用する内部記憶装置であり、例えばＢＩＯＳ（Basic Input／Output System)等のファームウェアプログラムが格納されるＲＯＭ領域、オペレーティングシステムや、アプリケーションプログラム等の動作に必要な変数等が格納されるＲＡＭ領域などから構成される。また、データ入出力制御手段３０８を介して、図示しないハードディスク等の外部記憶装置に接続されていてもよい。【００７７】
以上説明した、ディスクドライブ３００とホストコンピュータ４００を組み合わせて使用する一具体例は、映像を記録再生するレコーダ機器等の家庭用機器である。このレコーダ機器は放送受信チューナや外部接続端子からの映像信号をディスクに記録し、テレビなど外部表示機器にディスクから再生した映像信号を出力する機器である。メモリ３６０に格納されたプログラムをＣＰＵ３５９で実行させることでレコーダ機器としての動作を行っている。また、別の具体例では、ディスクドライブ３００はディスクドライブ（以下、適宜ドライブと称す）であり、ホストコンピュータ４００はパーソナルコンピュータやワークステーションである。パーソナルコンピュータ等のホストコンピュータとドライブはＳＣＳＩやＡＴＡＰＩといったデータ入出力制御手段３０６及び３０８を介して接続されており、ホストコンピュータ４００にインストールされているライティングソフトウェア等のアプリケーションが、ディスクドライブ３００を制御する。【００７８】
（２）動作原理
続いて、図４から図１３を参照して、本実施例に係る記録再生装置２００の動作原理について説明する。【００７９】
（２−１）第１動作例
初めに、図４から図１０を参照して、本実施例に係る記録再生装置２００の動作原理としての第１動作例について説明する。ここでは、図４を用いて第１動作例の全体的概略を説明するとともに、図５から図１０を用いて適宜補足的なないしはより詳細な説明を加える。ここに、図４は、本実施例に係る記録再生装置２００の第１動作例における動作の流れを概念的に示すフローチャートである。【００８０】
図４に示すように、初めに、記録再生装置２００の電源がＯＮに切り替えられ、続いて、光ディスク１００がディスクドライブ３００にローディングされる（ステップＳ１０１）。このローディングの後、データの記録や再生等に必要な各種制御データないしは管理データが読み取られてもよい。その後、ローディングされた光ディスク１００に対して、データの記録を行うが否かが判定される（ステップＳ１０２）。例えば、ユーザが外部リモコンによりデータの記録を行う旨の指示を出していれば、データの記録を行うと判定されてもよい。【００８１】
ステップＳ１０２の判定の結果、データの記録を行なわないと判定された場合（ステップＳ１０２：Ｎｏ）、ステップＳ１０９へ進む。他方、データの記録を行うと判定された場合（ステップＳ１０２：Ｙｅｓ）、続いて、ＯＰＣ処理が既に行なわれているか否かが判定される（ステップＳ１０３）。【００８２】
ステップＳ１０３の判定の結果、ＯＰＣ処理が既に行われていると判定された場合（ステップＳ１０３：Ｙｅｓ）、既に行われていたＯＰＣ処理により算出された最適記録レーザパワーでレーザ光ＬＢが照射されながら、光ディスク１００にデータが記録される（ステップＳ１０８）。【００８３】
他方、ＯＰＣ処理が未だに行われていないと判定された場合（ステップＳ１０３：Ｎｏ）、ＯＰＣ処理を行う。具体的には、初めに、ＣＰＵ３５４の制御を受けるＯＰＣ信号生成手段３６１の動作によりテスト信号（即ち、ＯＰＣパターン）が生成される（ステップ１０４）。その後、ＯＰＣ信号生成手段３６１の動作により生成されたＯＰＣパターンに基づいて、信号記録再生手段３５３は、レーザ光ＬＢを照射するための駆動パルスを生成し、光ピックアップ３５２へ供給する。その結果、光ピックアップ３５２よりレーザ光ＬＢが照射され、ＯＰＣ信号生成手段３６１の動作により生成されたＯＰＣパターンが光ディスク１００のＩＤＴＡ１０３ａ（１１３ａ）ないしはＯＤＴＡ１０３ｂ（１１３ｂ）に記録される（ステップＳ１０５）。【００８４】
このＯＰＣパターンの記録について、図５及び図６を参照してより詳細に説明する。ここに、図５は、ＯＰＣパターンの態様を概念的に示す模式図であり、図６は、ＯＰＣパターンが実際に記録される態様を概念的に示すデータ構造図である。【００８５】
図５に示すように、ＯＰＣ信号生成手段３６１は、例えば３Ｔパルスに相当する短ピット（マーク）及び１１Ｔパルスに相当する長ピット（マーク）を夫々同一の長さの無記録区間（スペース）と共に交互に形成した記録パターンを生成する。そして、このような記録パターンを、１６段階に切り替えられる記録レーザパワーの夫々に対応させることで、ＯＰＣパターンが生成される。以降、単一の記録レーザパワーで記録される３Ｔパルスに相当する短ピット（３Ｔマーク）及び１１Ｔパルスに相当する長ピット（１１Ｔスペース）の組合せの単位（即ち、図５の中部に示す記録パターン）を、適宜“ＯＰＣ基本パターン”と称する。そして、記録レーザパワーの切替の態様をも含んだ１回のＯＰＣ処理において記録される記録パターン全体を、適宜“ＯＰＣパターン（テスト信号）”と称する。【００８６】
本実施例では特に、初めに一番強い（ないしは、高い或いは大きい）記録レーザパワー（図５中のＳｔｅｐ１に対応する記録レーザパワー）にてＯＰＣ基本パターンが記録され、以降、より低くなるように順次切り替えられた記録レーザパワーにて（即ち、図５中のＳｔｅｐ２、Ｓｔｅｐ３．．．Ｓｔｅｐ１６に対応する記録レーザパワーに順次切り替えられながら）ＯＰＣ基本記録パターンが記録される。より具体的に説明すると、初めにＳｔｅｐ１に対応する記録レーザパワーで、ＯＰＣ基本パターンが記録される。Ｓｔｅｐ１に対応する記録レーザパワーでのＯＰＣ基本パターンの記録が終了した後、Ｓｔｅｐ１に対応する記録レーザパワーよりも弱い（ないしは、低い或いは小さい）パワー値を有するＳｔｅｐ２に対応する記録レーザパワーで、ＯＰＣ基本パターンが記録される。その後、順次ＯＰＣ基本パターンを記録する際の記録レーザパワーを低くしていき、最後にＯＰＣ基本パターンを記録する際には、今までのＳｔｅｐ１からＳｔｅｐ１５に対応する記録レーザパワーのいずれと比較しても弱いパワー値を有するＳｔｅｐ１６に対応する記録レーザパワーで、ＯＰＣ基本パターンが記録される。このような記録レーザパワーの変化の態様をも含んだＯＰＣパターンの指定は、ＯＰＣ信号生成手段３６１の動作により行なわれる。即ち、レーザ光ＬＢの記録レーザパワーは信号記録再生手段３５３に含まれるＬＤドライバによって切り替えられているが、ＯＰＣ処理の際のレーザ光ＬＢの記録レーザパワーの切替は、実質的には、ＯＰＣ信号生成手段３６１によって（ＯＰＣ信号生成手段３６１により生成されるＯＰＣパターンによって）制御されている。【００８７】
図６に示すように、このようなＯＰＣパターンは、例えばＬ０層であれば、ＯＤＴＡ１０３ｂの外周側の記録エリア部分より順に記録される。例えば、初めにＯＤＴＡ１０３ｂの一部の記録エリア部分１０３１ｂにＯＰＣパターンが記録され、その後、順に内周側の記録エリア部分１０３２ｂ、１０３３ｂにＯＰＣパターンが記録される。各記録エリア部分のサイズは、例えば１ＥＣＣブロックである。その記録エリア部分内では、ＯＰＣパターンは、データエリア１０５におけるデータの記録の方向と同様に、内周側から外周側に向かって順に記録される。他方、例えばＬ１層であれば、ＯＤＴＡ１１３ｂの内周側の記録エリア部分より順に記録される。例えば、初めにＯＤＴＡ１１３ｂの一部の記録エリア部分１１３１ｂにＯＰＣパターンが記録され、その後、順に外周側の記録エリア部分１１３２ｂ、１１３３ｂにＯＰＣパターンが記録される。その記録エリア部分内では、データエリア１１５におけるデータの記録の方向と同様に、ＯＰＣパターンは外周側から内周側に向かって順に記録される。【００８８】
ＯＤＴＡ１０３ｂ（１１３ｂ）の各記録エリア部分のうち、最初の３セクタは、ＯＰＣパターンを記録することなく、未記録状態のまま残されている。即ち、各記録エリア部分内の第０セクタから第２セクタまでは未記録状態として残しておき、第３セクタから第１５セクタまでにＯＰＣパターンを記録することでＯＰＣ処理が行なわれる。これは、以下の理由からである。【００８９】
ＯＤＴＡ１０３ｂ（１１３ｂ）に隣接ないしは近接する固定ミドルエリア１０９（１１９）には、光ディスク１００の再生専用ドライブとの再生互換性を取るために、ファイナライズ処理の際にダミーデータ（例えば、“００ｈ”データ等）が記録され或いは所定の上書データ（例えば、第１動作例においては、“００ｈ”データ等）が上書きされる。この際、データが記録されていない未記録部への光ピックアップ３５１の飛び出しに起因する動作の暴走を好適に防止すべく、ダミーデータ或いは上書データは固定ミドルエリア１０９（１１９）の範囲よりもより広い範囲に記録或いは上書きされる必要がある。このため、ＯＰＣパターンが記録されたＯＤＴＡ１０３ｂ（１１３ｂ）においても上書データが上書きされる。このようなダミーデータの記録或いは上書データの上書きがなされた後であっても、記録再生装置２００（ないしは、再生専用ドライブ）の動作の安定性を確保するという観点からは、ダミーデータが記録ないしは上書データ上書きされた記録エリア部分の少なくともセクタＩＤを読み取ることができることが好ましい。しかしながら、ＯＰＣパターンが記録された記録エリア部分に更に上書データを上書きすると、光ディスク１００上の記録ピットが暗くなり（反射率が低くなり）、結果としてデータを読み取ることができなくなってしまうおそれがある。このため、ＯＤＴＡ１０３ｂ（１１３ｂ）の各記録エリア部分のうち少なくとも３セクタは、ＯＰＣパターンを記録することなく未記録状態として残すことで、ダミーデータが記録或いは上書データが上書きされた後であっても、この３セクタのセクタＩＤを読み取ることができるようにしている。【００９０】
再び図４において、続いて、ステップＳ１０５で記録されたＯＰＣパターンを再生する（ステップＳ１０６）。そして、ステップＳ１０６において再生されたＯＰＣパターンに基づいて、データを記録する際の最適記録レーザパワーが算出される（ステップＳ１０７）。より具体的には、図示しないエンベロープ検波器に入力されたＯＰＣパターンの再生信号たるＲＦ信号より、当該ＲＦ信号のエンベロープ検波のピーク値及びボトム値がサンプリングされる。そして、このピーク値とボトム値から、ＯＰＣパターンの再生品質であるアシンメトリが算出される。このようなＯＰＣパターン（具体的には、３Ｔマークと１１Ｔスペースの１つの組）の再生及びアシンメトリの測定が、１回のＯＰＣ処理において、例えば記録された記録パターンの回数（即ち、切り替えられた記録レーザパワーの数）に応じて行われる。これにより、記録レーザパワーとアシンメトリとの相関関係を取得することができる。その後、相関関係に基づいて、ターゲットアシンメトリを実現する（例えば、アシンメトリが“０”となる）記録レーザパワーが、最適記録レーザパワーとして算出される。【００９１】
その後、本発明の「記録制御手段」の一具体例を構成するＣＰＵ３５４の制御の下に、ステップＳ１０７において算出された最適記録レーザパワーにてレーザ光が照射されながら、データエリア１０５に各種データが記録される（ステップＳ１０８）。【００９２】
続いて、光ディスク１００に記録されているデータを再生するか否かが判定される（ステップＳ１０９）。例えば、ユーザが外部リモコンによりデータの再生を行う旨の指示を出していれば、データの再生を行うと判定されてもよい。【００９３】
この判定の結果、データを再生すると判定された場合（ステップＳ１０９：Ｙｅｓ）、再生レーザパワーにてレーザ光ＬＢを光ディスク１００に照射することで、光ディスク１００上に記録されたデータを読み取り、復調処理や復号化処理等の信号処理を施した後、例えば映像や音声ないしはその他の各種形式で再生する（ステップＳ１１０）。他方、データを再生しないと判定された場合（ステップＳ１０９：Ｎｏ）、データは再生されない。【００９４】
その後、ファイナライズ処理を行うか否かが判定される（ステップＳ１１１）。即ち、新たにデータが記録された光ディスク１００を、再生専用ドライブでも再生することができるように、リードインエリア１０２、リードアウトエリア１１８及び固定ミドルエリア１０９（１１９）にファイナライズ処理用のデータを記録するか否かが判定される。【００９５】
この判定の結果、ファイナライズ処理を行うと判定された場合（ステップＳ１１１：Ｙｅｓ）、光ディスク１００に対してファイナライズ処理が行なわれる（ステップＳ１１２）。他方、ファイナライズ処理を行なわないと判定された場合（ステップＳ１１１：Ｎｏ）、光ディスク１００に対してファイナライズ処理は行なわれない。このファイナライズ処理のうち、固定ミドルエリア１０９（１１９）へのファイナライズ処理用のデータの記録動作について、図７及び図８を参照してより詳細に説明する。図７及び図８は、ファイナライズ処理の際の光ディスク１００へのデータの記録の態様を概念的に示すデータ構造図である。【００９６】
図７（ａ）に示すように、データエリア１０５（１１５）にデータが記録された後にファイナライズ処理が行なわれる。尚、ここでは、網掛け部分は、所定のデータが記録されている記録エリアを示すものとする。【００９７】
このとき、上述したように、単に固定ミドルエリア１０９（１１９）にダミーデータを記録するのみならず、固定ミドルエリア１０９（１１９）の更に外周側の記録エリアにもダミーデータが記録され或いは上書データが上書きされる。具体的には、図７（ｂ）に示すように、固定ミドルエリア１０９（１１９）に加えて、ＯＤＴＡ１０３ｂ（１１３ｂ）を含む更に外周側の記録エリアにもダミーデータが記録され或いは上書データが上書きされる。このとき、ダミーデータ或いは上書データが記録或いは上書きされたＬ０層の記録エリアの内周側の端部と、ダミーデータ或いは上書データが記録或いは上書きされたＬ１層の記録エリアの外周側の端部とが、径方向において概ね０．４ｍｍ以上離れていることが好ましい。このようにダミーデータが記録或いは上書データが上書きされることで、結果としてデータエリア１０５（１１５）の外周側にミドルエリアが形成され、動作の安定性を確保することができる。【００９８】
また、必ずしもデータエリア１０５（１１５）の全体にデータが記録された後にファイナライズ処理が行なわれる必要はない。例えば、図８（ａ）に示すように、データエリア１０５の途中まで（例えば、点Ａを終端部として）データを記録した後、折り返しデータエリア１１５にデータを記録する場合であっても、ファイナライズ処理を行ってもよい。このとき、折り返しデータエリア１１５にデータを記録する時点で、データエリア１０５（１１５）のうちデータが記録済みの記録エリアの外周側の端部に隣接するように、シフテッドミドルエリア（shifted Middle Area）１１０（１２０）が形成される。また、シフテッドミドルエリア１１０（１２０）の更に外周側には、フレキシブルＯＤＴＡ（flexible ODTA）１０３ｃ（１１３ｃ）が形成される。シフテッドミドルエリア１１０（１２０）とフレキシブルＯＤＴＡ１０３ｃ（１１３ｃ）との関係は、上述した固定ミドルエリア１０９（１１９）とＯＤＴＡ１０３ｂ（１１３ｂ）との関係と概ね同様である。【００９９】
その後、ファイナライズ処理を行う際には、図８（ｂ）に示すように、シフテッドミドルエリア１１０（１２０）に加えて、フレキシブルＯＤＴＡ１０３ｃ（１１３ｃ）を含む更に外周側の記録エリアにもダミーデータが記録或いは上書データが上書きされる。これによっても、図７（ｂ）の場合と同様に、動作の安定性を確保することができる。【０１００】
再び図４において、ステップＳ１１１のファイナライズ処理の後、光ディスク１００をディスクドライブ３００よりイジェクトするか否かが判定される（ステップＳ１１３）。例えば、ユーザが外部リモコンにより光ディスク１００のイジェクトを行う旨の指示を出していれば、光ディスク１００のイジェクトを行うと判定されてもよい。【０１０１】
この判定の結果、光ディスク１００のイジェクトを行うと判定された場合（ステップＳ１１３：Ｙｅｓ）、更新すべきディスク管理情報を、リードインエリア１０２内のＲ−ｉｎｆｏｒｍａｉｔｏｎエリアに記録する（ステップＳ１１４）。その後、光ディスク１００がディスクドライブ３００からイジェクトされる（ステップＳ１１５）。他方、光ディスク１００のイジェクトを行わないと判定された場合（ステップＳ１１３：Ｎｏ）、再度ステップＳ１０２へ戻り、上述した動作を適宜繰り返す。【０１０２】
以上説明したように、第１動作例によれば、ＯＤＴＡ１０３ｂ（１１３ｂ）にＯＰＣパターンを記録する際には、初めに一番強い記録レーザパワーにてＯＰＣ基本パターンが記録され、以降、より弱くなるように順次切り替えられた記録レーザパワーにてＯＰＣ基本パターンが記録される。言い換えれば、一回のＯＰＣ処理で最後に記録されるＯＰＣ基本パターン（或いは、現在ＯＰＣ基本パターンを記録しているＯＤＴＡ１０３ｂ（１１３ｂ）の記録エリア部分の次の記録エリア部分の未記録部分に隣接する位置に記録されるＯＰＣ基本パターン）は、そのＯＰＣ処理における最も弱い記録レーザパワーで照射されるレーザ光ＬＢにより記録される。係る構成を採用することで享受することができる利益について、図９及び図１０を参照して説明する。ここに、図９は、第１動作例において記録されたＯＰＣパターン、上書データが上書きされたＯＰＣパターン、及びダミーデータが記録された未記録部分の夫々の再生信号の信号レベル、並びに第１比較動作例において記録されたＯＰＣパターン、上書データが上書きされたＯＰＣパターン、及びダミーデータが記録された未記録部分の夫々の再生信号の信号レベルを概念的に示すグラフであり、図１０は、第１比較動作例において記録されたＯＰＣパターン、上書データが上書きされたＯＰＣパターン、及びダミーデータが記録される前の未記録部分と未記録部にダミーデータが記録された後の再生信号をデジタルオシロスコープにて観察したときの波形図である。【０１０３】
上書データを上書きする前のＯＰＣパターンを再生することで得られる再生信号は、図９（ａ）の左側に示される。３Ｔマークと１１Ｔスペースとに対応する再生信号が繰り返し現れている。また、信号レベルは、ＯＰＣパターンを記録したときの記録レーザパワーと同様に、順次減少している。【０１０４】
上書データを上書きした後のＯＰＣパターンを再生することで得られる再生信号は、図９（ａ）の中側に示される。上書データの上書きにより形成される記録ピットと、ＯＰＣパターンの記録により形成される記録ピットとが干渉して、再生信号全体としては、上書データの上書き前よりも暗い再生信号として得られる。言い換えれば、上書データの上書き後のＯＰＣパターンの再生信号の信号レベルは、上書データの上書き前のＯＰＣパターンの再生信号の信号レベルよりも、センター電位を基準として高くなる。【０１０５】
ダミーデータを記録した後の未記録部分（即ち、ＯＤＴＡ１０３ｂ（１１３ｂ）の各記録エリア部分の最初の３セクタ）を再生することで得られる再生信号（即ち、ダミーデータが通常記録された通常記録部を再生することで得られる再生信号）は、図９（ａ）の右側に示される。その再生信号の信号レベルは、概ねセンター電位と同等レベルとなる。これは、一回のＯＰＣ処理において最後に記録されたＯＰＣ基本パターンが、相対的に一番弱い記録レーザパワーで記録されているため、通常記録部の再生信号の再生品質に対する上書データの上書きに起因した影響を軽減することができるためである。即ち、最後に記録されたＯＰＣ基本パターンを再生することで得られる再生信号の信号レベルが、センター電位と比較して偏って分布しておらず、通常記録部を再生することで得られる再生信号にスムーズにつながるためである。【０１０６】
他方、初めに一番弱い記録レーザパワーにてＯＰＣ基本パターンが記録され、以降、より強くなるように順次切り替えられた記録レーザパワーにてＯＰＣ基本パターンが記録される第１比較動作例におけるＯＰＣパターン及び未記録部分の再生信号について説明する。尚、このようなＯＰＣパターンの記録の態様は、伝統的な記録装置において主として採用されている。【０１０７】
上書データを上書きする前のＯＰＣパターンを再生することで得られる再生信号は、図９（ｂ）の左側に示される。３Ｔパターンと１１Ｔパターンとに対応する再生信号が繰り返し現れている。また、信号レベルは、ＯＰＣパターンを記録したときの記録レーザパワーと同様に、順次増加している。【０１０８】
上書データを上書きした後のＯＰＣパターンを再生することで得られる再生信号は、図９（ｂ）の中側に示される。上書データの上書きにより形成される記録ピットと、ＯＰＣパターンの記録により形成される記録ピットとが干渉して、再生信号全体としては、上書データの上書き前よりも暗い再生信号として得られる。言い換えれば、上書データの上書き後のＯＰＣパターンの再生信号の信号レベルは、上書データの上書き前のＯＰＣパターンの再生信号の信号レベルよりも、センター電位を基準として高くなる。【０１０９】
ダミーデータを記録した後の未記録部分（即ち、ＯＤＴＡ１０３ｂ（１１３ｂ）の各記録エリア部分の最初の３セクタ）を再生することで得られる再生信号は、図９（ｂ）の右側に示される。その再生信号の信号レベルは、センター電位よりも高いレベルとなる。これは、一回のＯＰＣ処理において最後に記録されたＯＰＣ基本パターンが、一番強い記録レーザパワーで記録されているため、通常記録部の再生信号の再生品質に対する影響が増大してしまうためである。即ち、最後に記録されたＯＰＣ基本パターンを再生することで得られる再生信号の信号レベルが、センター電位と比較して高いレベルに偏って分布しているため、通常記録部を再生することで得られる再生信号にスムーズにつながることができないためである。このため、通常記録部を再生することで得られる再生信号を好適に読み取ることができず、結果としてＯＤＴＡ１０３ｂ（１１３ｂ）の各記録エリア部分の最初の３セクタのセクタＩＤを読み取ることができない。【０１１０】
また、第１比較動作例により記録されたＯＰＣパターン等の再生信号を実際のデジタルオシロスコープで観察すると、図１０に示すような信号波形が得られる。図１０（ａ）には、上書データを上書きする前のＯＰＣパターン及びダミーデータを記録する前の未記録部分を再生することで得られる再生信号が示される。図１０（ａ）に示すように、上書データを上書きする前には、未記録部分を再生する（ここでは、「再生」はいわゆる「トレース」に相当する）ことで得られる再生信号は、データが記録されていないため、概ねセンター電位付近のレベルの再生信号となる。但し、未記録部分を再生することで得られる再生信号の開始部分は、ＯＰＣパターンの再生信号に影響を受けて、センター電位よりも高いレベルの再生信号となっている。【０１１１】
他方、図１０（ｂ）には、上書データを上書きした後のＯＰＣパターン及びダミーデータを記録した後の未記録部分を再生することで得られる再生信号が示される。図１０（ｂ）に示すように、上書データをＯＰＣパターンに上書きした後には、ダミーデータが記録された未記録部分（通常記録部）を再生することで得られる再生信号は、上書データが上書されたＯＰＣパターンを再生することで得られる再生信号の影響を受け、セクタＩＤ等を好適に読み取ることができる波形を有していない。【０１１２】
尚、図１０（ａ）及び図１０（ｂ）が、図９（ｂ）により模式的に示されている再生信号を、実際のデジタルオシロスコープによって観察された波形として説明しているに過ぎないことから、図１０（ａ）及び図１０（ｂ）における現象は、図９（ｂ）における説明と同様の理由から説明することができることは言うまでもない。【０１１３】
このように、第１比較動作例によれば、未記録部分として敢えて残した、ＯＤＴＡ１０３ｂ（１１３ｂ）の各記録エリア部分の最初の３セクタのセクタＩＤを読み取ることはできない。しかるに、第１動作例によれば、上書データのＯＰＣパターンへの上書きによる未記録部分への影響を最小限に抑えることができる。これにより、ＯＤＴＡ１０３ｂ（１１３ｂ）の各記録エリア部分の最初の３セクタのセクタＩＤを好適に読み取ることができ、記録再生装置２００（ないしは、再生専用ドライブ）の動作の安定性を確保することができる。【０１１４】
尚、図５では、ＯＰＣ処理の際に、順次弱くなるように記録レーザパワーを切り替えているが、上述した利益を享受するに際して、この切替の態様には限定されない。要は、一回のＯＰＣ処理の最後に記録されるＯＰＣ基本パターンを記録する際の記録レーザパワーが、それ以外の記録レーザパワーよりも小さければ、上述した各種利益を享受することができる。即ち、一回のＯＰＣ処理の最後に記録されるＯＰＣ基本パターンを記録する際の記録レーザパワーが、それ以外の記録レーザパワーよりも小さければ、最後に記録されるＯＰＣ基本パターン以外のＯＰＣ基本パターンを記録する際の記録レーザパワーの値は任意である。但し、上書データのＯＰＣパターンへの上書による未記録部分への影響をより一層抑制するという観点からは、図５に示したように、順次弱くなるように記録レーザパワーを切り替えることが好ましい。【０１１５】
また、第１動作例の説明では、ＯＤＴＡ１０３ｂ（１１３ｂ）にＯＰＣパターンを記録する動作について説明したが、これに限らずに、他の記録エリアにデータを記録する際にも、第１動作例において説明した動作に準拠してデータを記録するように構成してもよい。例えば、未記録部分を設けながらデータを記録し、且つその未記録部分に隣接する記録エリアに上書データを上書きする場合には、未記録部分に隣接する記録エリア（例えば、セクタやＥＣＣブロック等の単位で示される記録エリア）にデータを記録する際の記録レーザパワーが相対的に或いは一番弱くなるようにデータを記録することが好ましい。或いは、未記録部分を設けながら該未記録部分を含む記録エリアにデータを記録し、且つその未記録部分の内周側の端部に隣接する記録エリアに上書データを上書きする場合には、未記録部分の内周側の端部に隣接する記録エリアの外周側の端部にデータを記録する際の記録レーザパワーが、未記録部分の内周側の端部に隣接する記録エリアの外周側の端部以外のエリア部分にデータを記録する際の記録レーザパワーと比較して、相対的に或いは一番弱くなるようにデータを記録することが好ましい。或いは、未記録部分を設けながら該未記録部分を含む記録エリアにデータを記録し、且つその未記録部分の外周側の端部に隣接する記録エリアに上書データを上書きする場合には、未記録部分の外周側の端部に隣接する記録エリアの内周側の端部にデータを記録する際の記録レーザパワーが、未記録部分の外周側の端部に隣接する記録エリアの内周側の端部以外のエリア部分にデータを記録する際の記録レーザパワーと比較して、相対的に或いは一番弱くなるようにデータを記録することが好ましい。【０１１６】
（２−２）第２動作例
続いて、図１１から図１３を参照して、本実施例に係る記録再生装置２００の動作原理としての第２動作例について説明する。ここでは、図１１を用いて第２動作例の全体的概略を説明するとともに、図１２及び図１３を用いて適宜補足的なないしはより詳細な説明を加える。ここに、図１１は、本実施例に係る記録再生装置２００の第２動作例における動作の流れを概念的に示すフローチャートである。尚、第１動作例と同一の構成要素及び動作については、同一の参照符号及びステップ番号を付して、その詳細な説明を省略する。【０１１７】
図１１に示すように、第２動作例においても、第１動作例と同様に、ステップＳ１０１からステップＳ１０３、及びステップＳ１０５からステップＳ１１１までの動作が行なわれる。尚、第２動作例では、記録レーザパワーを、順次増加するように切り替えながら記録されるＯＰＣパターンがテスト信号として設定される（ステップＳ２０１）。【０１１８】
第２動作例では特に、ファイナライズ処理を行うと判定された場合（ステップＳ１１１：Ｙｅｓ）、先ず、未記録部分（具体的には、ＯＤＴＡ１０３ｂ（１１３ｂ）の各記録エリア部分の最初の３セクタ）に記録するデータを設定する（ステップＳ２０２）。これは、例えば上述のダミーデータ等を、未記録部分に記録するデータとして設定すればよい。或いは、次のステップＳ２０３において設定される上書データと同じデータであってもよい。続いて、ＯＰＣパターンが記録されている記録エリアに上書きする上書データを設定する（ステップＳ２０３）。【０１１９】
ここで、図１１のステップＳ２０３において設定される上書きデータの一の具体例を、図１２を参照して説明する。ここに、図１２は、第２動作例において設定される上書きデータの一の具体例を概念的に示す信号波形図である。【０１２０】
図１２の上部に示すように、記録再生装置２００は、所定の周波数のマスタークロックに基づいて記録動作を行なっているとする。マスタークロックの１クロックが、記録されるデータを構成するｎＴマークないしはｎＴスペース（但し、ｎは２以上の整数）の基準となる。例えば３Ｔマークであれば、３クロックの周期を有するマーク信号成分を意味し、１１Ｔスペースであれば、１１クロックの周期を有するスペース信号成分を意味する。図１１のステップＳ２０３で設定される上書データは、マーク信号成分の周期（或いは、信号幅ないしはパルス幅）が相対的に短く（ないしは、小さく）し、スペース信号成分の周期が相対的に長い。或いは、マーク信号成分の周期が、スペース信号成分の周期よりも短くなるような上書きデータが設定される。例えば、図１２に示すように、図１１のステップＳ２０３で設定される上書データは、３Ｔマークと１１Ｔスペースとの組合せとして設定される。もちろん、これ以外のマーク信号成分及びスペース信号成分の組合せにより規定される上書データが設定されてもよいことは言うまでもない。【０１２１】
再び図１１において、ステップＳ２０３において設定された上書データが、ＯＰＣパターンが記録されたＯＤＴＡ１０３ｂ（１１３ｂ）に記録される（ステップＳ２０４）。同時に、未記録部分にも、ステップＳ２０２において設定されたデータが記録される。続けて、リードインエリア１０２及びリードアウトエリア１１８にもダミーデータ等が記録される（ステップＳ２０５）。尚、リードインエリア１０２及びリードアウトエリア１１８へのダミーデータ等の記録は、第１動作例のファイナライズ処理においても行なわれることは言うまでもない。その後は、第１動作例と同様に、ステップＳ１１３からステップＳ１１５の動作が実行される。【０１２２】
以上説明したように、第２動作例によれば、相対的に短い周期のマーク信号成分及び相対的に長い周期のスペース信号成分により規定される上書データが、ＯＰＣパターンが記録されたＯＤＴＡ１０３ｂ（１１３ｂ）に上書きされる。係る構成を採用することで享受することができる利益について、図１３を参照して説明する。ここに、図１３は、第２動作例において記録されたＯＰＣパターン、上書データが上書きされたＯＰＣパターン、及びダミーデータが記録された未記録部分の夫々の再生信号の信号レベル、並びに第２比較動作例において記録されたＯＰＣパターン、上書データが上書きされたＯＰＣパターン、及びダミーデータが記録された未記録部分の夫々の再生信号の信号レベルを概念的に示すグラフである。【０１２３】
上書データを上書きする前のＯＰＣパターンを再生することで得られる再生信号は、図１３（ａ）の左側に示される。３Ｔパターンと１１Ｔパターンとに対応する再生信号が繰り返し現れている。【０１２４】
上書データを上書きした後のＯＰＣパターンを再生することで得られる再生信号は、図１３（ａ）の中側に示される。一般的に、上書データの上書きにより形成される記録ピットと、ＯＰＣパターンの記録により形成される記録ピットとが干渉して、再生信号全体としては、上書データの上書き前よりも暗い再生信号として得られる。言い換えれば、上書データの上書き後のＯＰＣパターンの再生信号の信号レベルは、上書データの上書き前のＯＰＣパターンの再生信号の信号レベルよりも、センター電位を基準として高くなる。しかしながら、第２動作例では、相対的に短い周期のマーク信号成分及び相対的に長い周期のスペース信号成分により規定される上書データが上書きされる。スペース信号成分の周期が相対的に長いため、上書データを上書きすると、相対的に明るい記録ピットが光ディスク１００上に形成される。従って、上書データの上書き後のＯＰＣパターンを再生することで得られる再生信号は、上書データの上書き前のＯＰＣパターンを再生することで得られる再生信号と比較して、殆ど或いはそれほど暗くなっていない。言い換えれば、上書データの記録後のＯＰＣパターンの再生信号の信号レベルは、上書データの上書き前のＯＰＣパターンの再生信号の信号レベルと比較して、大きな変化はない。【０１２５】
ダミーデータを記録した後の未記録部分を再生することで得られる再生信号は、図１３（ａ）の右側に示される。その再生信号の信号レベルは、概ねセンター電位と同等レベルとなる。これは、相対的に短い周期のマーク信号成分及び相対的に長い周期のスペース信号成分により規定される上書データがＯＰＣパターンに上書きされることに起因している。というのも、上書データの記録後のＯＰＣパターンの再生信号の信号レベルは、上書データの上書き前のＯＰＣパターンの再生信号の信号レベルと比較して大きな変化はないがゆえに、上書データの上書きによる通常記録部の再生信号の再生品質に対する影響を軽減することができるためである。従って、通常記録部を再生することで得られる再生信号にスムーズにつながる。【０１２６】
他方、相対的に短い周期のマーク信号成分及び相対的に長い周期のスペース信号成分により規定される上書データではなく、例えば単に“００ｈ”データを上書データとして上書きする第２比較動作例におけるＯＰＣパターン及び未記録部分の再生信号について説明する。【０１２７】
上書データを上書きする前のＯＰＣパターンを再生することで得られる再生信号は、図１３（ｂ）の左側に示される。３Ｔパターンと１１Ｔパターンとに対応する再生信号が繰り返し現れている。【０１２８】
上書データを上書きした後のＯＰＣパターンを再生することで得られる再生信号は、図１３（ｂ）の中側に示される。上書データの上書きにより形成される記録ピットと、ＯＰＣパターンの記録により形成される記録ピットとが干渉して、再生信号全体としては、上書データの上書き前よりも暗い再生信号として得られる。言い換えれば、上書データの上書き後のＯＰＣパターンの再生信号の信号レベルは、上書データの上書き前のＯＰＣパターンの再生信号の信号レベルよりも、センター電位を基準として高くなる。【０１２９】
ダミーデータを記録した後の未記録部分を再生することで得られる再生信号は、図１３（ｂ）の右側に示される。その再生信号の信号レベルは、センター電位よりも高いレベルとなる。これは、上書データの上書き後のＯＰＣパターンの再生信号の信号レベルは、上書データの上書き前のＯＰＣパターンの再生信号の信号レベルよりも、センター電位を基準として高くなるがゆえに、通常記録部の再生信号の再生品質に対する影響が増大してしまうためである。即ち、未記録部分に隣接するＯＰＣ基本パターンを再生することで得られる再生信号の信号レベルが、センター電位と比較して高いレベルに偏って分布しているため、通常記録部を再生することで得られる再生信号にスムーズにつながることができないためである。このため、通常記録部を再生することで得られる再生信号を好適に読み取ることができず、結果としてＯＤＴＡ１０３ｂ（１１３ｂ）の各記録エリア部分の最初の３セクタのセクタＩＤを読み取ることができない。【０１３０】
このように第２比較動作例によれば、未記録部分として敢えて残した、ＯＤＴＡ１０３ｂ（１１３ｂ）の各記録エリア部分の最初の３セクタのセクタＩＤを読み取ることはできない。しかるに、第２動作例によれば、上書データのＯＰＣパターンへの上書きによる未記録部分への影響を最小限に抑えることができる。これにより、ＯＤＴＡ１０３ｂ（１１３ｂ）の各記録エリア部分の最初の３セクタのセクタＩＤを好適に読み取ることができ、記録再生装置２００（ないしは、再生専用ドライブ）の動作の安定性を確保することができる。【０１３１】
尚、第２動作例においては、ＯＰＣ処理の際に、記録レーザパワーが順次増加するように切り替えながら記録されるＯＰＣパターンがテスト信号として設定されている。しかしながら、上述した第１動作例において説明したように、記録レーザパワーが順次減少するように切り替えながら記録されるＯＰＣパターンがテスト信号として設定されてもよい。或いは、最後に記録されるＯＰＣ基本パターンを記録する際の記録レーザパワーのパワー値が、それ以外のＯＰＣ基本パターンを記録する際の記録レーザパワーのパワー値よりも小さくなるようなＯＰＣパターンがテスト信号として設定されてもよい。つまり、第１動作例の特徴と第２動作例の特徴とを組み合わせる構成を採用してもよい。これにより、上書データのＯＰＣパターンへの上書きによる未記録部分への影響をより一層抑えることができる。これにより、ＯＤＴＡ１０３ｂ（１１３ｂ）の各記録エリア部分の最初の３セクタのセクタＩＤを好適に読み取ることができ、記録再生装置２００（ないしは、再生専用ドライブ）の動作の安定性をより好適に確保することができる。【０１３２】
また、データの記録が一回のみ可能なライトワンス型の光ディスクにおいて本実施例において説明した効果は顕著になる。具体的に説明すると、データの記録が複数回可能なリライタブル型の光ディスクであれば、記録再生装置の処理負荷が増大するというデメリットはあるものの、ＯＤＴＡ１０３ｂ（１１３ｂ）に記録されたＯＰＣパターンを消去した後に、ダミーデータを記録すれば、上述した様々な問題点は顕在しない。しかしながら、ライトワンス型の光ディスクであれば、ＯＰＣパターンの消去ができないため、第１動作例や第２動作例において説明した動作が、動作の安定性という観点からは非常に重要になってくる。もちろん、リライタブル型の光ディスクであっても、ＯＰＣパターンの消去の手間を省くことができるというメリットがあるため、上述した構成を採用して相応の利益を享受することができる。【０１３３】
また、第２動作例の説明では、ＯＰＣパターンが記録されたＯＤＴＡ１０３ｂ（１１３ｂ）に上書データを上書きする動作について説明したが、これに限らずに、他の記録エリアに記録されているデータに上述の上書データを上書きするように構成してもよい。例えば、未記録部分を設けながらデータを記録し、且つその未記録部分に隣接する記録エリアに上書データを上書きする場合には、相対的に短い周期のマーク信号成分及び相対的に長い周期のスペース信号成分により規定される上書データを上書きすることが好ましい。【０１３４】
また、上述の実施例では、記録媒体の一例として光ディスク１００及び記録再生装置の一例として光ディスク１００に係るレコーダ或いはプレーヤについて説明したが、本発明は、光ディスクのレコーダに限られるものではなく、他の高密度記録或いは高転送レート対応の各種記録媒体のレコーダにも適用可能である。【０１３５】
本発明は、上述した実施例に限られるものではなく、請求の範囲及び明細書全体から読み取れる発明の要旨或いは思想に反しない範囲で適宜変更可能であり、そのような変更を伴う記録装置及び方法、並びに記録制御用のコンピュータプログラムもまた本発明の技術的範囲に含まれるものである。
【産業上の利用可能性】
【０１３６】
本発明に係る記録装置及び記録方法、並びにコンピュータプログラムは、例えば、ＤＶＤ等の高密度光ディスクに利用可能であり、更にＤＶＤレコーダ等の情報記録装置に利用可能である。また、例えば民生用或いは業務用の各種コンピュータ機器に搭載される又は各種コンピュータ機器に接続可能な情報記録装置等にも利用可能である。
【図１】
0004445507.tif 000002
【図２】
0004445507.tif 000003
【図３】
0004445507.tif 000004
【図４】
0004445507.tif 000005
【図５】
0004445507.tif 000006
【図６】
0004445507.tif 000007
【図７】
0004445507.tif 000008
【図８】
0004445507.tif 000009
【図９】
0004445507.tif 000010
【図１０】
0004445507.tif 000011
【図１１】
0004445507.tif 000012
【図１２】
0004445507.tif 000013
【図１３】
0004445507.tif 000014